(57)【要約】      （修正有）【課題】画像に応じて粒子群を移動させるための表示駆動電圧を印加する前に印加するリセット電圧を調整しない場合と比較して、隣接する画素間で濃度差が発生するのを抑制することができる表示媒体の駆動装置を提供する。【解決手段】表示装置は、表示基板５０と、背面基板５２と、表示基板５０及び背面基板５２の基板間に形成された電界に応じて基板間を移動するように基板間に封入された着色粒子群６２と、を備えた表示媒体１０に対して、画像に応じて着色粒子群６２を移動させるための表示駆動電圧を印加する前に印加するリセット電圧の電圧印加時間及び電圧値の少なくとも一方を、表示駆動電圧の印加によって表示基板５０及び背面基板５２の一方の基板から他方の基板へ移動させる着色粒子群６２の粒子量に応じて調整したリセット電圧を前記基板間に印加する電圧印加部３０を備える。【選択図】図１
2015169898.tif 000002
【特許請求の範囲】
【請求項１】
一対の基板と、前記一対の基板間に形成された電界に応じて前記基板間を移動するように前記基板間に封入された粒子群と、を備えた表示媒体に対して、画像に応じて前記粒子群を移動させるための表示駆動電圧を印加する前に印加するリセット電圧の電圧印加時間及び電圧値の少なくとも一方を、前記表示駆動電圧の印加によって前記一対の基板の一方の基板から他方の基板へ移動させる前記粒子群の粒子量に応じて調整したリセット電圧を前記一対の基板間に印加する電圧印加手段
を備えた表示媒体の駆動装置。
【請求項２】
前記電圧印加手段は、前記粒子量が多くなるに従って前記リセット電圧の電圧印加時間を長くなるように調整したリセット電圧及び前記粒子量が多くなるに従って前記リセット電圧の電圧値が高くなるように調整したリセット電圧の少なくとも一方を前記一対の基板間に印加する
請求項１記載の表示媒体の駆動装置。
【請求項３】
前記表示媒体は、前記一対の基板の一方の基板に共通電極が設けられると共に前記一対の基板の他方の基板に複数の画素電極が設けられ、
前記電圧印加手段は、前記共通電極が設けられた前記一方の基板に前記粒子群が付着した状態で、前記リセット電圧の電圧印加時間及び電圧値の少なくとも一方を調整したリセット電圧を前記一対の基板間に印加する
請求項１又は請求項２記載の表示媒体の駆動装置。
【請求項４】
前記粒子群は、色及び前記基板から剥離させるための電圧の閾値が異なる複数種類の粒子群であり、前記電圧印加手段は、前記複数種類の粒子群のうち前記閾値が最も高い粒子群についてのみ前記リセット電圧の調整を行う
請求項１〜３の何れか１項に記載の表示媒体の駆動装置。
【請求項５】
前記電圧印加手段は、前記画像が細線の場合は、前記電圧印加時間及び電圧値を調整せずに前記リセット電圧を前記一対の基板間に印加する
請求項１〜請求項４の何れか１項に記載の表示媒体の駆動装置。
【請求項６】
コンピュータを、請求項１〜５の何れか１項に記載の表示媒体の駆動装置を構成する各手段として機能させるための表示媒体の駆動プログラム。
【請求項７】
一対の基板と、前記一対の基板間に形成された電界に応じて前記基板間を移動するように前記基板間に封入された粒子群と、を備えた表示媒体と、
請求項１〜５の何れか１項に記載の表示媒体の駆動装置と、
を備えた表示装置。
【発明の詳細な説明】
【技術分野】
【０００１】
本発明は、表示媒体の駆動装置、表示媒体の駆動プログラム、及び表示装置に関する。
【背景技術】
【０００２】
特許文献１には、複数のメモリセルを備えた複数のメモリセルアレイと、遅延制御信号を出力するモード制御部と、外部からのアドレスとアドレスバッファ制御信号とに基づいて前記複数のメモリセルアレイにアクセスする命令実行部と、外部からのコマンドと前記遅延制御信号とに基づいて、前記アドレスバッファ制御信号を前記命令実行部に出力するコマンド制御部とを具備し、前記コマンド制御部は、前記遅延制御信号がインアクティブ状態であり、前記コマンドがライトコマンド又はリードコマンドである通常動作モードのときに、クロック信号に同期して前記アドレスバッファ制御信号を出力し、前記遅延制御信号がアクティブ状態であり、前記コマンドが前記ライトコマンドであるライト命令遅延動作モードのときに、前記クロック信号に同期して前記アドレスバッファ制御信号を出力し、前記遅延制御信号がアクティブ状態であり、前記コマンドが前記リードコマンドであるリード命令遅延動作モードのときに、前記クロック信号から遅延して前記アドレスバッファ制御信号を出力する半導体記憶装置が開示されている。
【０００３】
特許文献２には、間隙を空けて配置された一対の基板と、前記一対の基板の間隙に配置された絶縁性液体及び複数の帯電泳動粒子からなる分散液と、分散液中に電界を形成するための第１電極及び第２電極と、前記分散液と前記第１電極及び第２電極とを絶縁する絶縁膜とを備え、前記第１電極及び第２電極の間に電圧を印加して分散液中に電界を形成し、前記帯電泳動粒子を前記第１電極と前記第２電極の間で移動させることによって表示を行う電気泳動表示装置の駆動方法において、前記第１電極及び第２電極の間に電圧を印加して表示をリセットするリセット動作と、前記第１電極及び第２電極の間に書き込み電圧を印加して表示を行う書き込み動作と、を備え、前記リセット動作時、前記第１電極及び第２電極の間に印加する電圧は、前記書き込み動作終了時、前記分散液に印加される電圧が、前記絶縁膜と前記分散液の直列容量の容量分圧と略等しくなるように調整されたものであることを特徴とする電気泳動表示装置の駆動方法が開示されている。
【０００４】
特許文献３には、少なくとも一方が透光性を有すると共に間隙をもって対向して配置された一対の基板と、前記一対の基板間に封入された透光性を有する分散媒と、前記分散媒中に移動可能に分散され、前記基板間に形成される電界に応じて移動すると共に、互いに色及び前記基板からの離脱する力が異なる複数種類の粒子群と、を備えた画像表示媒体が開示されている。
【０００５】
特許文献４には、所定間隙を開けた状態に配置された第１基板及び第２基板と、これらの基板の間隙に配置された絶縁性液体及び複数の帯電粒子と、該絶縁性液体に近接するように配置された第１乃至第３電極と、を備えた電気泳動表示装置を駆動する、電気泳動表示装置の駆動方法において、前記第１電極と前記第２電極との間に電圧を印加して前記帯電粒子を移動させることに基づき情報を表示する第１工程と、該第１工程にて発生したカウンターイオンを前記第３電極に引き付ける第２工程と、を備え、かつ、前記第２工程の後で前記第３電極への電圧印加を解除する、ことを特徴とする電気泳動表示装置の駆動方法が開示されている。
【０００６】
特許文献５には、間隙をもって対向し、かつ少なくとも一方が透明な一対の基板と、前記一対の基板間に封入される色及び帯電極性が異なる２種類の粒子と、を含む表示媒体の駆動方法であって、画像を切り替えるときに、前記一対の基板の少なくとも一方に、移動すべき粒子をこの移動すべき粒子が付着している基板に引き寄せるように電圧パルスを印加した後、前記移動すべき粒子を前記移動すべき粒子が付着している基板とは反対側の基板に移動させるように電圧パルスを印加することを特徴とする表示媒体の駆動方法が開示されている。
【０００７】
特許文献６には、第１電極と、前記第１電極に対向する第２電極と、前記第１電極と前記第２電極との間に配置された帯電粒子とを含む電気泳動素子を備えた電気泳動パネルと、前記電気泳動パネルを制御する制御回路と、を具備し、前記制御回路は、書込期間において、前記電気泳動素子の指定階調に応じた値のデータ電圧を、前記第１電極と前記第２電極との間に印加するように制御し、
【０００８】
前記書込期間とは異なる補正期間において、前記データ電圧とは反対の極性であって、所定の閾値以下の補正電圧を、前記第１電極と前記第２電極との間に印加するように制御する、ことを特徴とする電気泳動表示装置が開示されている。
【０００９】
特許文献７には、複数のピクセルを有する双安定電子光学ディスプレイを駆動する方法であって、該複数のピクセルの各々は、少なくとも３つのグレーレベルで表示することが可能であり、該方法は、初期グレーレベルを最終グレーレベルに変換するのに必要なインパルスを表すデータを含むルックアップテーブルを格納することと、該ディスプレイの各ピクセルの少なくとも初期状態を表すデータを格納することと、該ディスプレイの少なくとも１つのピクセルの所望の最終状態を表す入力信号を受信することと、周囲の湿度を表す湿度信号を受信することと、該ルックアップテーブルから決定されるように、該１つのピクセルの初期状態を該１つのピクセルの該所望の最終状態に変換するのに必要なインパルスを表す出力信号を生成することであって、該出力信号は、該湿度信号に基づいて生成されることと、を包含する方法が開示されている。
【先行技術文献】
【特許文献】
【００１０】
【特許文献１】特開２００４−１７１６０９号公報
【特許文献２】特開２００７−１７５４７号公報
【特許文献３】特開２００７−２４９１８８号公報
【特許文献４】特開２００４−２９４７１８号公報
【特許文献５】特開２００２−８２３６１号公報
【特許文献６】特開２０１１−２３２５９４号公報
【特許文献７】特開２００７−２４９２３０号公報
【発明の概要】
【発明が解決しようとする課題】
【００１１】
本発明は、画像に応じて粒子群を移動させるための表示駆動電圧を印加する前に印加するリセット電圧を調整しない場合と比較して、隣接する画素間で濃度差が発生するのを抑制することができる表示媒体の駆動装置、表示媒体の駆動プログラム、及び表示装置を提供することを目的とする。
【課題を解決するための手段】
【００１２】
上記目的を達成するために、請求項１記載の発明の表示媒体の駆動装置は、一対の基板と、前記一対の基板間に形成された電界に応じて前記基板間を移動するように前記基板間に封入された粒子群と、を備えた表示媒体に対して、画像に応じて前記粒子群を移動させるための表示駆動電圧を印加する前に印加するリセット電圧の電圧印加時間及び電圧値の少なくとも一方を、前記表示駆動電圧の印加によって前記一対の基板の一方の基板から他方の基板へ移動させる前記粒子群の粒子量に応じて調整したリセット電圧を前記一対の基板間に印加する電圧印加手段を備える。
【００１３】
請求項２記載の発明は、前記電圧印加手段は、前記粒子量が多くなるに従って前記リセット電圧の電圧印加時間を長くなるように調整したリセット電圧及び前記粒子量が多くなるに従って前記リセット電圧の電圧値が高くなるように調整したリセット電圧の少なくとも一方を前記一対の基板間に印加する。
【００１４】
請求項３記載の発明は、前記表示媒体は、前記一対の基板の一方の基板に共通電極が設けられると共に前記一対の基板の他方の基板に複数の画素電極が設けられ、前記電圧印加手段は、前記共通電極が設けられた前記一方の基板に前記粒子群が付着した状態で、前記リセット電圧の電圧印加時間及び電圧値の少なくとも一方を調整したリセット電圧を前記一対の基板間に印加する。
【００１５】
請求項４記載の発明は、前記粒子群は、色及び前記基板から剥離させるための電圧の閾値が異なる複数種類の粒子群であり、前記電圧印加手段は、前記複数種類の粒子群のうち前記閾値が最も高い粒子群についてのみ前記リセット電圧の調整を行う。
【００１６】
請求項５記載の発明は、前記電圧印加手段は、前記画像が細線の場合は、前記電圧印加時間及び電圧値を調整せずに前記リセット電圧を前記一対の基板間に印加する。
【００１７】
請求項６記載の発明の表示媒体の駆動プログラムは、コンピュータを、請求項１〜５の何れか１項に記載の表示媒体の駆動装置を構成する各手段として機能させるための表示媒体の駆動プログラムである。
【００１８】
請求項７記載の発明の表示装置は、一対の基板と、前記一対の基板間に形成された電界に応じて前記基板間を移動するように前記基板間に封入された粒子群と、を備えた表示媒体と、請求項１〜５の何れか１項に記載の表示媒体の駆動装置と、を備える。
【発明の効果】
【００１９】
請求項１、６、７記載の発明によれば、画像に応じて粒子群を移動させるための表示駆動電圧を印加する前に印加するリセット電圧を調整しない場合と比較して、隣接する画素間で濃度差が発生するのを抑制することができる、という効果を有する。
【００２０】
請求項２記載の発明によれば、表示駆動電圧の印加によって一対の基板の一方の基板から他方の基板へ移動させる粒子量に関係なくリセット電圧の調整を固定にした場合と比較して、必要以上に電圧印加時間が長いリセット電圧や電圧値が高いリセット電圧が印加されてしまうのを抑制することができる、という効果を有する。
【００２１】
請求項３記載の発明によれば、画素電極が設けられた基板に粒子群が付着した状態でリセット電圧を調整する場合と比較して、粒子群が不必要に移動してしまうのを抑制することができる、という効果を有する。
【００２２】
請求項４記載の発明によれば、閾値が最も高い粒子群以外の粒子群についてもリセット電圧を調整する場合と比較して、制御を簡単にすることができる、という効果を有する。
【００２３】
請求項５記載の発明によれば、画像が細線の場合にもリセット電圧を調整する場合と比較して、細線の濃度を濃くすることができる、という効果を有する。
【図面の簡単な説明】
【００２４】
【図１】第１実施形態に係る表示装置の概略構成図である。
【図２】制御部をコンピュータで構成した場合のブロック図である。
【図３】第１実施形態に係る各泳動粒子の電圧印加特性を示す図である。
【図４】制御部で実行される処理のフローチャートである。
【図５】従来のリセット駆動及び表示駆動の流れを示す図である。
【図６】第１実施形態に係るリセット駆動及び表示駆動の流れを示す図である。
【図７】リセット強度と画素の濃度変化との関係を示す線図である。
【図８】リセット強度を変えた場合の濃度変化について説明するための図である。
【図９】画素電極側に粒子が存在する状態でリセット強度を調整する場合について説明するための図である。
【図１０】リセット強度のパターンについて説明するための図である。
【図１１】リセット強度を調整することによる他の効果について説明するための図である。
【図１２】細線を表示させる場合について説明するための図である。
【図１３】第２実施形態に係る表示装置の概略構成図である。
【図１４】第２実施形態に係る各泳動粒子の電圧印加特性を示す図である。
【発明を実施するための形態】
【００２５】
（第１実施形態）
【００２６】
以下、第１実施形態について図面を参照しつつ説明する。なお、説明を簡易化するために、適宜１つのセルに注目した図を用いて本実施形態を説明する。
【００２７】
図１は、本実施形態に係る表示装置を概略的に示している。この表示装置１００は、表示媒体１０と、表示媒体１０を駆動する駆動装置２０と、を備えている。駆動装置２０は、表示媒体１０に電圧を印加する電圧印加部３０と、表示媒体１０に表示させる画像の画像情報に応じて電圧印加部３０を制御する制御部４０と、を含んで構成されている。
【００２８】
表示媒体１０は、画像表示面とされる、透光性を有する表示基板５０と、非表示面とされる背面基板５２と、が間隙を持って対向して配置されている。表示基板５０には、透光性を有する共通電極としての表示側電極５４が形成され、背面基板５２には、画素電極としての背面側電極５６が複数形成されている。なお、図１では、背面基板５２に２つの背面側電極５６Ａ、５６Ｂが形成された場合を示したが、実際の表示媒体１０においては、背面側電極５６は背面基板５２上に多数形成される。以下では、背面側電極５６Ａ、５６Ｂを区別しない場合には単に背面側電極５６と称する場合がある。また、表示側電極５４及び背面側電極５６は、表示基板５０及び背面基板５２に設けず、外部電極としてもよい。
【００２９】
また、表示媒体１０には、表示基板５０と背面基板５２との基板間を定められた間隔に保持すると共に、当該基板間を複数のセルに区画する間隙部材５８が設けられている。
【００３０】
上記セルとは、表示側電極５４が設けられた表示基板５０と、複数の背面側電極５６が設けられた背面基板５２と、間隙部材５８と、によって囲まれた領域を示している。なお、それぞれの電極表面には、保護膜や絶縁材料などからなる表面層５５、５７が各々設けられている。なお、図１では、１つのセル中に２つの背面側電極５６Ａ、５６Ｂが含まれている場合を示したが、１つのセル中に含まれる背面側電極５６の数は２つに限られるものではない。
【００３１】
セル中には、例えば絶縁性液体で構成された分散媒６０と、分散媒６０中に分散された着色粒子群６２及び白色粒子群６６が封入されている。
【００３２】
着色粒子群６２は、表示側電極５４と背面側電極５６との間に予め定めた閾値電界以上の電界を発生させる閾値電圧を印加することにより、着色粒子群６２がそれぞれ単独で泳動する特性を有している。一方、白色粒子群６６は、一例として着色粒子群６２と逆極性の負に帯電しているが、帯電量は着色粒子群６２よりも少なく、着色粒子群６２が何れか一方の基板側まで移動する電界を発生させる電圧が電極間に印加されても、何れの電極側まで移動しない浮遊粒子群である。
【００３３】
なお、白色粒子群６６を用いるのではなく、分散媒６０に着色剤を混合することで、白色を表示させてもよい。
【００３４】
本実施形態では、着色粒子群６２は、赤の色彩を有する正帯電の電気泳動粒子（赤粒子Ｒ）である場合について説明するが、これに限定されない。また、以下の説明で印加する電圧の電圧値も一例であって、これに限定されず、各粒子の帯電極性、帯電量、粒径、応答性、電極間の距離等に応じて適宜設定すればよい。以下では、赤色の粒子を赤粒子Ｒ、白色の粒子を白粒子Ｗと記す。
【００３５】
駆動装置２０（電圧印加部３０及び制御部４０）は、表示媒体１０の基板間に、表示させる色に応じた電圧を印加することにより、着色粒子群６２を泳動させ、それぞれの帯電極性に応じて表示基板５０、背面基板５２の何れか一方に引き付ける。
【００３６】
電圧印加部３０は、表示側電極５４及び背面側電極５６にそれぞれ電気的に接続されている。また、電圧印加部３０は、制御部４０に信号授受されるように接続されている。
【００３７】
制御部４０は、図２に示すように、例えばコンピュータ４０として構成される。コンピュータ４０は、ＣＰＵ（Ｃｅｎｔｒａｌ  Ｐｒｏｃｅｓｓｉｎｇ  Ｕｎｉｔ）４０Ａ、ＲＯＭ（Ｒｅａｄ  Ｏｎｌｙ  Ｍｅｍｏｒｙ）４０Ｂ、ＲＡＭ（Ｒａｎｄｏｍ  Ａｃｃｅｓｓ  Ｍｅｍｏｒｙ）４０Ｃ、不揮発性メモリ４０Ｄ、及び入出力インターフェース（Ｉ／Ｏ）４０Ｅがバス４０Ｆを介して各々接続された構成であり、Ｉ／Ｏ４０Ｅには電圧印加部３０及び通信回線Ｉ／Ｆ（Interface）３２が接続されている。この場合、後述する画像の表示に必要な電圧の印加を電圧印加部３０に指示する処理をコンピュータ４０に実行させるプログラムを、例えば不揮発性メモリ４０Ｄに書き込んでおき、これをＣＰＵ４０Ａが読み込んで実行させる。なお、プログラムは、ＣＤ−ＲＯＭ等の記録媒体により提供するようにしてもよい。
【００３８】
電圧印加部３０は、表示側電極５４及び背面側電極５６に電圧を印加するための電圧印加装置であり、制御部４０の制御に応じた電圧を表示側電極５４及び背面側電極５６に印加する。
【００３９】
本実施形態では、一例として表示側電極５４を表示基板５０の全面に形成された共通電極とし、複数の背面側電極５６の各々を孤立電極とした所謂アクティブマトリクス駆動に対応した電極構成としている。従って、本実施形態では、共通電極としての表示側電極５４を接地し、複数の背面側電極５６に画像に応じた電圧を印加する場合について説明する。
【００４０】
通信回線Ｉ／Ｆ３２は、図示しない通信回線に接続され、当該通信回線に接続された図示しないサーバやパーソナルコンピュータ等の端末装置と相互にデータを通信する。この図示しない通信回線は有線回線及び無線回線の何れであってもよく、例えば、図示しないサーバやパーソナルコンピュータから表示媒体１０に表示させる画像の画像情報を取得するようにしてもよい。
【００４１】
図３には、本実施形態に係る表示装置１００において、正に帯電された赤粒子Ｒを表示基板５０側、背面基板５２側に移動させるために必要な印加電圧の特性を示した。図３では、赤粒子Ｒの印加電圧特性を特性５０Ｒで表わしている。また、図３は、表示側電極５４をグランド（０Ｖ）として背面側電極５６に印加された電圧と、赤粒子Ｒによる表示濃度との関係を示したものである。
【００４２】
図３に示すように、背面基板５２側の赤粒子Ｒが表示基板５０側へ移動開始する電界を発生させるための移動開始電圧（閾値電圧）は＋Ｖ１ａであり、表示基板５０側の赤粒子Ｒが背面基板５２側へ移動開始する電界を発生させるための移動開始電圧は−Ｖ１ａである。ここで、移動開始電圧とは、背面基板５２又は表示基板５０側に存在する粒子群が、対向する基板に向かって移動を開始する電界を発生させるための電圧のことをいう。従って、＋Ｖ１ａ以上の電圧を印加することで背面基板５２側の赤粒子Ｒが表示基板５０側へ移動し、−Ｖ１ａ以下の電圧を印加することで表示基板５０側の赤粒子Ｒが背面基板５２側へ移動する。また、背面基板５２側の赤粒子Ｒが全て表示基板５０側へ移動する電界を発生させるための電圧は＋Ｖ１であり、表示基板５０側の赤粒子Ｒが全て背面基板５２側へ移動する電界を発生させるための電圧は−Ｖ１である。
【００４３】
そして、背面基板５２側から表示基板５０側へ移動させる赤粒子Ｒの粒子量は、例えば印加する電圧のパルス幅（電圧印加時間）を同一にした場合には、印加する電圧の電圧値を変えることで制御される（電圧値変調）。例えば、背面基板５２側から表示基板５０側へ移動させる赤粒子Ｒの粒子量を制御する場合、印加する電圧のパルス幅は同一で、電圧値を＋Ｖ１ａ以上の任意の電圧値とすることにより、その電圧値に応じた粒子量の赤粒子Ｒを表示基板５０側へ移動させられる。これにより、赤粒子Ｒの階調表示が制御される。表示基板５０側の赤粒子Ｒを背面基板５２側へ移動させる場合の粒子量についても同様である。
【００４４】
粒子の閾値電圧は、例えば、粒子材料や粒子の表面被覆材料、添加剤、粒子径、粒子の表面形状、表面積などを変えて、粒子の帯電量を制御することで、基板表面への付着力や、電界から受ける静電力を制御することで調整される。あるいは、粒子表面材料や、基板表面材料の帯電により生ずる静電引力や、ファンデルワールス力などを利用して調整される。
【００４５】
なお、印加する電圧の電圧値を同一にして、パルス幅、すなわち電圧印加時間を変えることで、移動する粒子の粒子量を制御し、階調表示を制御するようにしてもよい（パルス幅変調）。例えば、背面基板５２側から表示基板５０側へ移動させる赤粒子Ｒの粒子量を制御する場合において、印加する電圧の電圧値を＋Ｖ１ａ以上の予め定めた電圧値とした場合、そのパルス幅が長くなるに従って表示基板５０側へ移動する赤粒子Ｒの粒子量が多くなる。従って、電圧値を固定にして、パルス幅を階調に応じた長さのパルス幅とすることにより、赤粒子Ｒの階調表示が制御される。本実施形態では、一例として、電圧値変調により、移動する粒子の粒子量を制御する場合について説明する。
【００４６】
次に、本実施形態の作用として、制御部４０のＣＰＵ４０Ａで実行される制御について図４に示すフローチャートを参照して説明する。
【００４７】
まず、ステップＳ１０では、表示媒体１０に表示させるべき画像の画像情報を例えば通信回線Ｉ／Ｆ３２を介して図示しない外部装置から取得する。
【００４８】
ステップ１２では、リセット電圧を印加するように電圧印加部３０に指示する。ここでは、リセット電圧は、一例として全ての赤粒子Ｒを表示基板５０側へ移動させるための電圧である。すなわち、リセット電圧は、赤粒子Ｒを全て表示基板５０側へ移動させるための、電圧値が＋Ｖ１以上の正電圧である。このため、図５の状態５Ａで示すように、正電圧であるリセット電圧が背面側電極５６Ａ、５６Ｂに印加されると、表示基板５０側へ全ての赤粒子Ｒが移動して付着する。これにより、表示基板５０側からは、背面側電極５６Ａに対応する画素Ａ及び背面側電極５６Ｂに対応する画素Ｂの両方に赤粒子Ｒによる赤色が表示される。
【００４９】
また、詳細は後述するが、リセット電圧を印加する際には、表示駆動電圧の印加によって移動させる赤粒子の粒子量に応じてリセット強度を調整したリセット電圧を印加する。
【００５０】
ステップＳ１４では、取得した画像情報に基づいて、背面側電極５６に印加すべき表示駆動電圧を決定し、電圧印加部３０に指示する。電圧印加部３０は、制御部４０から指示された表示駆動電圧を背面側電極５６に印加する。
【００５１】
この表示駆動電圧は、取得した画像情報に応じた画像を表示媒体１００に表示させるための電圧である。すなわち、赤色を表示すべき画素には、赤粒子Ｒの移動開始電圧である＋Ｖ１ａよりも高く、表示すべき赤色の階調（濃度）に応じた電圧値の電圧が印加される。また、白色を表示すべき画素については、−Ｖ１以下の電圧を印加する。
【００５２】
次に、リセット強度の調整について説明する。
【００５３】
例えば図５の状態５Ａで示すように、リセット電圧を背面側電極５６Ａ、５６Ｂに印加して全面赤表示とした後、画素Ａは赤表示のままとし、画素Ｂを白表示とするために、表示駆動電圧として背面側電極５６Ａに０Ｖの電圧を印加すると共に背面側電極５６Ｂに電圧値が−Ｖ１以下の負電圧を印加したとする。この場合、図５の状態５Ｂで示すように、画素Ｂの表示基板５０に付着していた赤粒子Ｒは全て背面基板５２側に移動する。そして、図５の状態５Ｃで示すように、背面側電極５６Ｂに印加していた表示駆動電圧の印加を停止すると、背面側電極５６Ｂ上の赤粒子Ｒの一部は、静電反発によって背面側電極５６Ａ側に移動してしまう。なお、粒子には鏡像力や電極に付着する力が働くため、電極に沿って移動する。
【００５４】
これにより、図５の状態５Ｄで示すように、次の表示駆動で画素Ａ及び画素Ｂを全面赤表示にするために電圧値が＋Ｖ１以上の正電圧を背面側電極５６Ａ、５６Ｂに印加すると、背面側電極５６Ｂ上の赤粒子Ｒが減少しているため、画素Ｂの濃度が画素Ａの濃度と比較して薄くなってしまう。
【００５５】
そこで、本実施形態では、全ての背面側電極５６Ａ、５６Ｂに共通にリセット電圧を印加してから直ぐに表示駆動電圧を印加するのではなく、リセット強度を調整してから表示駆動電圧を印加する。ここで、リセット強度とは、背面側電極５６に印加するリセット電圧の電圧印加時間及び電圧値の少なくとも一方をいい、リセット強度を強くしたリセット電圧とは、リセット電圧の電圧印加時間を長くした電圧及びリセット電圧の電圧値を高くした電圧の少なくとも一方を含む電圧をいう。
【００５６】
具体的には、図６の状態６Ａで示すように、リセット電圧を印加して全面赤表示にしてから画素Ｂを白表示にする場合、状態６Ｂに示すように、赤表示のままの画素Ａについては背面側電極５６Ａに印加する電圧を０Ｖとしてリセット電圧の印加を停止させるが、白表示とする画素Ｂについては、背面側電極５６Ａへのリセット電圧の印加を停止させた後も、背面側電極５６Ｂに予め定めた時間リセット電圧を印加し続ける。すなわち、背面側電極５６Ｂへの電圧印加時間を予め定めた時間増加させる。
【００５７】
なお、表示駆動電圧の印加によって移動させる赤粒子Ｒの粒子量が多くなるに従って前記予め定めた時間を長く設定する。これは、移動する赤粒子Ｒの粒子量が多いほど、リセット電圧の印加を停止させた際に静電反発によって隣接画素へ移動する赤粒子Ｒの粒子量が増加すると考えられるからである。
【００５８】
このように、表示駆動電圧の印加によって移動させる赤粒子Ｒの粒子量に応じてリセット強度を調整したリセット電圧を印加する。これにより、例えば状態６Ａで示すようにリセット電圧が印加された状態では、赤粒子Ｒと逆極性に帯電した白粒子Ｗが存在する領域７０は画素Ａ、Ｂに均一に分布するが、状態６Ｂで示すように、背面側電極５６Ｂのみ電圧印加時間を予め定めた時間増加させることでリセット強度を強くすると、白粒子Ｗが存在する領域７０は画素Ｂに偏る。
【００５９】
このため、状態６Ｃで示すように、次の表示駆動で画素Ｂの赤粒子Ｒを背面基板５２側へ移動させ、状態６Ｄに示すように、背面側電極５６Ｂへのリセット電圧の印加が停止された場合でも、画素Ｂ側に白粒子Ｗが存在するため赤粒子Ｒに対する抵抗力が大きくなって赤粒子Ｒが動きにくくなると共に、画素Ｂの互いに逆極性に帯電された赤粒子Ｒと白粒子Ｗとが中和して静電反発力が弱くなるため、画素Ｂの赤粒子Ｒが画素Ａへ移動してしまうのが抑制される。
【００６０】
従って、状態６Ｄで示すように、次の表示駆動で画素Ｂの赤粒子Ｒを表示基板５０側へ移動させて全面赤表示とした場合でも、画素Ｂの濃度が画素Ａの濃度と比較して薄くなってしまうのが抑制される。
【００６１】
図７には、全面赤表示の状態から画素Ｂを白表示にして、再度画素Ｂを赤表示にする場合におけるリセット強度差（画素Ｂに印加するリセット電圧の電圧印加時間と画素Ａに印加するリセット電圧の電圧印加時間との差）と画素Ｂの濃度変化との対応関係を表すイメージ図を示した。画素Ｂの濃度変化との対応関係を表すイメージ図を示した。
【００６２】
従来のようにリセット強度Ｒ０が‘０’の場合、図８（Ａ）に示すように、画素Ｂを白表示した際に画素Ｂの赤粒子Ｒの粒子量が静電反発によって減少するため、その後画素Ｂを再度赤表示した場合の濃度変化はマイナス、すなわち濃度が薄くなる。
【００６３】
これに対して、本実施形態のように画素Ｂの濃度に応じたリセット強度Ｒ１（＞Ｒ０）でリセット電圧を調整した場合、図８（Ｂ）に示すように、画素Ｂを白表示した際の静電反発が抑制されるため、画素Ｂの赤粒子Ｒの粒子量は減少せず、画素Ｂを再度赤表示した場合の濃度変化は０となる。
【００６４】
なお、リセット強度Ｒ１よりも強いリセット強度Ｒ２（＞Ｒ１）でリセット電圧を調整した場合、図８（Ｃ）に示すように、画素Ｂを白表示した際の静電反発が抑制されすぎて画素Ｂの赤粒子Ｒの移動が制限され、画素Ｂを再度赤表示した場合の濃度変化はプラス、すなわち濃度が濃くなるが、画素内の一部の濃度が薄くなる。
【００６５】
なお、白粒子Ｗが存在しない構成の場合でも、分散媒６０中には、赤粒子Ｒと対となる逆極性のイオンや添加物等が存在するため、リセット強度を強くした画素に存在する赤粒子Ｒが動きにくくなり静電反発力が弱まる効果は同様である。
【００６６】
また、リセット強度を調整した後は、すぐに表示駆動電圧を印加することが好ましい。これは、時間が経過してから表示駆動電圧を印加したり、表示駆動の前に他の駆動を挟んだりすると、画素Ｂ側に偏った白粒子Ｗ、逆極性のイオン、及び添加物等が拡散してしまい、抵抗力が小さくなったり、静電反発力を弱める効果が低減してしまうためである。
【００６７】
また、リセット強度の調整は、共通電極としての表示側電極５４が設けられた表示基板５０側に赤粒子Ｒが付着した状態で行うことが好ましい。これは、例えば図９に示すように、画素電極としての背面側電極５６が設けられた背面基板５２側に赤粒子Ｒが付着した状態でリセット電圧を印加し、背面側電極５６Ａについてはリセット電圧の印加を停止させ、背面側電極５６Ｂについては予め定めた時間電圧印加時間を増加させると、背面側電極５６Ａと背面側電極５６Ｂとの電位差によって背面側電極５６Ｂ側の赤粒子Ｒの一部が背面側電極５６Ａ側へ移動してしまうためである。このため、リセット強度の調整を、画素電極としての背面側電極５６が設けられた背面基板５２側に赤粒子Ｒが付着した状態で行ってもよいが、その場合は、赤粒子Ｒが移動しない程度の電圧を印加することでリセット強度を調整することが好ましい。
【００６８】
また、全面赤表示させるリセット電圧を印加した後に画素Ｂを白表示させる場合におけるリセット強度の調整パターンとしては、図１０（Ａ）〜（Ｄ）に示すパターンがある。図１０（Ａ）は、前述したように、画素Ａの背面側電極５６Ａに対してリセット電圧の印加を停止してからも、画素Ｂの背面側電極５６Ｂに対して正電圧であるリセット電圧を予め定めた時間印加する場合である。図１０（Ｂ）は、背面側電極５６Ａを０Ｖにするのではなく、正電圧のリセット電圧Ｖａを印加し、背面側電極５６Ｂにはリセット電圧Ｖａよりも高いリセット電圧Ｖｂを印加するパターンである。図１０（Ｃ）は、背面側電極５６Ａには負電圧のリセット電圧を印加し、背面側電極５６Ｂを０Ｖにするパターンである。図１０（Ｄ）は、背面側電極５６Ａには負電圧のリセット電圧−Ｖａを印加し、背面側電極５６Ｂにはリセット電圧−Ｖａよりも高い−Ｖｂを印加する。なお、−Ｖａ、−Ｖｂは、赤粒子Ｒが表示基板５０側から背面基板５２側へ移動開始しない電圧とする。
【００６９】
このように、全面赤表示させるリセット電圧を印加した後に画素Ｂを白表示させる場合は、画素Ｂの背面側電極５６Ｂに印加するリセット電圧が画素Ａの背面側電極５６Ａに印加するリセット電圧よりも高ければよい。
【００７０】
次に、リセット強度の調整を行うことによる他の効果について説明する。
【００７１】
図１１には、背面側電極５６のエッジ部において発生するエッジ電界によって赤粒子Ｒが背面側電極５６の中心部に集まることにより濃度差が発生する様子を示した。
【００７２】
図１１の状態１１Ａで示すように、背面側電極５６Ａ、５６Ｂに正電圧であるリセット電圧を印加して全面赤表示とした後、画素Ａを白表示にするために背面側電極５６Ａに負電圧の表示駆動電圧を印加すると、状態１１Ｂで示すように、背面側電極５６Ａのエッジ付近で発生するエッジ電界７２によって、破線で示す背面側電極５６Ａのエッジ付近の赤粒子Ｒが背面側電極５６Ａの中心部へ移動する。さらに、このエッジ電界７２により背面側電極５６Ａの中心部へ移動しようとする、エッジ付近の赤粒子Ｒに押される形で、状態１１Ｃで示すように、電極全体の粒子が電極中央へと移動する。このため、状態１１Ｄで示すように、画素Ａを再度赤表示にするために正電圧である表示駆動電圧を背面側電極５６Ａに印加すると、画素Ａの中心部に赤粒子Ｒが偏っているため、濃度差が発生してしまう。
【００７３】
エッジ電界は電極間で作用し、電極の中心部には作用しないため、通常の電圧の印加により発生するエッジ電界によって電極の中心部への偏ってしまった粒子を元に戻すのは困難である。例えば、仮にエッジ付近のみの粒子が偏っている状態１１Ｂから状態１１Ｄの駆動を行うと濃度差は解消されるが、電極の中心部に粒子が偏っている状態１１Ｃから状態１１Ｄの駆動を行った場合、エッジ電界によって粒子の偏りは解消されない。これに対し、本実施形態では、前述したようにリセット強度を調整するため、濃度差が発生するのが抑制される。
【００７４】
また、上記のようにエッジ電界７２によって赤粒子Ｒが背面側電極５６の中心部に偏るのを利用して、細線を表示する画素については、リセット強度の調整を行わないようにしてもよい。
【００７５】
図１２には、画素Ａに細線を表示する場合における駆動の流れを示した。図１２の状態１２Ａ〜１２Ｃは図５の状態５Ａ〜５Ｃと同じである。状態１２Ａ〜１２Ｃに示すように、リセット電圧を印加した後に画素Ｂが白表示となるように表示駆動を行い、電圧の印加を停止させると、背面基板５２側に移動した画素Ｂの赤粒子Ｒの一部が静電反発によって画素Ａ側へ移動する。そして、状態１２Ｄで示すように、再度画素Ａを赤表示にするために背面側電極５６Ａに正電圧である表示駆動電圧を印加すると、状態１２Ｂの場合と比較して画素Ａ側の赤粒子Ｒの粒子量が増加しているため濃度が濃くなり、細線が濃く表示される。
【００７６】
なお、本実施形態では、リセット強度を、電圧印加時間を予め定めた時間長くすることによって調整する場合について説明したが、これに限らず、電圧値を高くすることによってリセット強度を調整してもよいし、電圧印加時間を長くすると共に電圧値を高くすることによりリセット強度を調整してもよい。
【００７７】
（第２実施形態）
【００７８】
次に、第２実施形態について説明する。第２実施形態では、着色粒子が２種類の場合について説明する。
【００７９】
また、赤色の粒子を赤粒子Ｒ、赤と補色の関係にあるシアン色の粒子をシアン粒子Ｃ、白色の粒子を白粒子Ｗと記し、各粒子とその粒子群は同じ記号（符号）によって示す。
【００８０】
図１３は、本実施形態に係る表示装置を概略的に示している。この表示装置１００Ａが図１の表示装置１００と異なるのは、表示媒体１０Ａに着色粒子群６３が設けられている点であり、その他は表示装置１００と同一なので詳細な説明は省略する。
【００８１】
本実施形態では、着色粒子群６３は、シアンの色彩を有する正帯電の電気泳動粒子（シアン粒子Ｃ）である場合について説明する。
【００８２】
図１４には、本実施形態に係る表示装置１００Ａにおいて、正に帯電されたシアン粒子Ｃ、正に帯電された赤粒子Ｒを表示基板５０側、背面基板５２側に移動させるために印加する電圧に対する表示濃度の特性（電圧−表示濃度特性）を示した。図１４では、シアン粒子Ｃの電圧−表示濃度特性を特性５０Ｃ、赤粒子Ｒの電圧−表示濃度特性を特性５０Ｒで表わしている。図３の表示濃度の特性と異なるのは特性５０Ｃが追加されている点であり、その他は図３と同一なので説明は省略する。
【００８３】
図１４に示すように、背面基板５２側のシアン粒子Ｃが表示基板５０側へ移動開始する電界を発生させるための閾値電圧は＋Ｖ２ａであり、表示基板５０側のシアン粒子Ｃが背面基板５２側へ移動開始する電界を発生させるための閾値電圧は−Ｖ２ａである。従って、＋Ｖ２ａ以上の電圧を印加することで背面基板５２側のシアン粒子Ｃが表示基板５０側へ移動し、−Ｖ２ａ以下の電圧を印加することで表示基板５０側のシアン粒子Ｃが背面基板５２側へ移動する。また、背面基板５２側のシアン粒子Ｃが全て表示基板５０側へ移動する電界を発生させるための電圧は＋Ｖ２であり、表示基板５０側のシアン粒子Ｃが全て背面基板５２側へ移動する電界を発生させるための電圧は−Ｖ２である。
【００８４】
そして、背面基板５２側から表示基板５０側へ移動させるシアン粒子Ｃの粒子量は、例えば印加する電圧のパルス幅（電圧印加時間）を同一にした場合には、印加する電圧の電圧値を変えることで制御される（電圧値変調）。例えば、背面基板５２側から表示基板５０側へ移動させるシアン粒子Ｃの粒子量を制御する場合、印加する電圧のパルス幅は同一で、電圧値を＋Ｖ２ａ以上の任意の電圧値とすることにより、その電圧値に応じた粒子量のシアン粒子Ｃを表示基板５０側へ移動させられる。これにより、シアン粒子Ｃの階調表示が制御される。表示基板５０側のシアン粒子Ｃを背面基板５２側へ移動させる場合の粒子量についても同様である。
【００８５】
このような表示媒体１０に画像を表示させる場合、閾値電圧の高い方の粒子から順に駆動して画像を表示させる。すなわち、シアン粒子Ｃを駆動してシアン色を所望の階調値とした後、赤粒子Ｒを駆動して赤色を所望の階調値とすることにより画像を表示する。
【００８６】
閾値電圧が高いシアン粒子Ｃのリセット強度の調整については、第１実施形態と同様であり、シアン粒子Ｃの表示駆動において移動させるシアン粒子Ｃの粒子量に応じてリセット強度を調整する。
【００８７】
また、閾値電圧が高いシアン粒子Ｃを表示駆動する場合、閾値電圧が低い赤粒子Ｒは全て一方の基板から他方の基板へ移動することになるため、シアン粒子Ｃの表示駆動電圧の印加は、赤粒子Ｒにとってはリセット電圧の印加となる。
【００８８】
このため、赤粒子Ｒのリセット強度の調整については、シアン粒子Ｃの表示駆動電圧を印加した後、シアン粒子Ｃが移動しない程度の電圧を、赤粒子Ｒの表示駆動において移動させる赤粒子Ｒの粒子量に応じた電圧印加時間で印加することにより、リセット強度を調整する。
【００８９】
なお、閾値電圧が高いシアン粒子Ｃのみについてリセット強度の調整を行い、赤粒子Ｒについてはリセット強度の調整を省略してもよい。また、本実施形態では、着色粒子群の種類が２種類の場合について説明したが、３種類以上の着色粒子群を備えた表示媒体を用いても良い。この場合、閾値電圧が最も高い粒子のみについてリセット強度の調整を行うようにしてもよい。また、閾値電圧が高い（電荷量が多い）粒子ほどリセット強度の調整を強めるようにしてもよい。
【００９０】
また、リセット強度の調整は、共通電極としての表示側電極５４が設けられた表示基板５０側に閾値が低い赤粒子Ｒが付着した状態で行うことが好ましい。これは、閾値が低い赤粒子Ｒは、閾値が高いシアン粒子Ｃと比較して電極間の電位差の影響を受けやすく、画素電極としての背面側電極５６が設けられた背面基板５２側に赤粒子Ｒが付着した状態でリセット強度の調整を行うと、背面側電極５６Ａと背面側電極５６Ｂとの電位差によって背面側電極５６Ａ、５６Ｂ間で赤粒子Ｒの一部が背面側電極５６Ａ側へ移動してしまうためである。赤粒子Ｒとシアン粒子Ｃが逆極性に帯電している場合は、リセット電圧の印加時には両方の基板に赤粒子Ｒとシアン粒子Ｃが分かれて付着するため、赤粒子Ｒを共通電極としての表示側電極５４が設けられた表示基板５０側に閾値が低い赤粒子Ｒが付着した状態でリセット強度の調整を行うことが好ましい。
【００９１】
以上、本発明を実施の形態を用いて説明したが、本発明の技術的範囲は上記実施の形態に記載の範囲には限定されない。発明の要旨を逸脱しない範囲で上記実施の形態に多様な変更または改良を加えることができ、当該変更または改良を加えた形態も本発明の技術的範囲に含まれる。
【符号の説明】
【００９２】
１０、１０Ａ  表示媒体
２０   駆動装置
３０   電圧印加部
４０   制御部
５０   表示基板
５２   背面基板
５４   表示側電極
５６Ａ、５６Ｂ       背面側電極
５８   間隙部材
６０   分散媒
６２、６３    着色粒子群
６６   白色粒子群
１００、１００Ａ     表示装置
【図１】
2015169898.tif 000003
【図２】
2015169898.tif 000004
【図３】
2015169898.tif 000005
【図４】
2015169898.tif 000006
【図７】
2015169898.tif 000007
【図１３】
2015169898.tif 000008
【図１４】
2015169898.tif 000009
【図５】
2015169898.tif 000010
【図６】
2015169898.tif 000011
【図８】
2015169898.tif 000012
【図９】
2015169898.tif 000013
【図１０】
2015169898.tif 000014
【図１１】
2015169898.tif 000015
【図１２】
2015169898.tif 000016